(57)【特許請求の範囲】
【請求項１】
荷物の積載面を形成する天板と、該天板の下方で接地面を形成する底板と、該天板および該底板をそれらのコーナー部、中央部、縁部中間部で相互に連結する複数本の柱部材とを備えた平パレットであって、
該柱部材のうち、該天板、該底板をコーナー部において連結する隅柱部材は、湾曲面が付された外側コーナーの外表面に、該隅柱部材の周りに沿って伸延するとともに該隅柱部材の軸芯に沿う向きに間隔を隔てて配列される少なくとも二本の横リブを備え、
該横リブは、いずれのものも外側コーナーの頂部に一致する幅方向中心部を有し、該横リブのうちの１つについては、該幅方向中心部が最下部に位置し、該底板に向けて凸状となる下向き凸状の湾曲形状からなり、その直下に位置する横リブは、該幅方向中心部が最上部に位置し、該天板に向けて凸状となる上向き凸状の湾曲形状からなることを特徴とする平パレット。
【請求項２】
前記横リブは、半径３００〜５００ｍｍの円弧によって形成されたものであることを特徴とする請求項１に記載した平パレット。
【請求項３】
前記横リブは、先端面および底壁面が前記隅柱部材の外側コーナーの外表面と平行であり、かつ、縦断面形状が台形状をなすものであることを特徴とする請求項１または２に記載した平パレット。
【請求項４】
前記下向き凸状の湾曲形状からなる横リブは、該横リブの幅方向の端面を上方へ向ける端曲げ部を有し、前記上向き凸状の湾曲形状からなる横リブは、該横リブの幅方向の端面を下方へ向ける端曲げ部を有することを特徴とする請求項１〜３のいずれか１項に記載した平パレット。
【請求項５】
前記下向き凸状の湾曲形状からなる横リブと、前記上向き凸状の湾曲形状からなる横リブとの相互間には、各横リブの幅方向の端部を結ぶ直線上の中間位置に、点状をなし、かつ、前記隅柱部材の外表面から外方へ向けて突出する突起を有することを特徴とする請求項１〜４のいずれか１項に記載した平パレット。
【発明の詳細な説明】
【技術分野】
【０００１】
本発明は、荷物の運搬や保管等に使用される平パレットに関するものである。
【背景技術】
【０００２】
荷物の運搬や保管等に使用される平パレットは、荷物の載置面を形成する四角形状の天板と、該天板の下方で接地面を形成する四角形状の底板と、該天板および底板をそれらのコーナー部、中央部、縁部中間部で相互に連結する複数本の柱部材で構成されている。
【０００３】
かかる平パレットにより荷物を運搬、保管等するには、荷物を天板の上に載せたのち、一定幅になる透明または半透明のストレッチフィルムを荷物の上から螺旋状に巻き回して包装するとともにその一部分を平パレットのコーナー部に引っ掛けて固定保持することによって荷物の、運搬、保管時における荷崩れの防止を図っている。
【０００４】
ところで、従来の平パレットにおいては、搬送時に荷物が大きく揺れたり、フォークリフトによる平パレットの持ち上げ時においてフォークの差し込み口に掛かっているストレッチフィルムがフォークリフトのフォークで上方へ押しやられた場合にストレッチフィルムの引っ掛かり部分がずれ上がってしまい、荷物の載置姿勢が不安定となって荷崩れを起こす不具合を有していた。
【０００５】
ストレッチフィルムの外れ止めに関連する先行技術としては、例えば、特許文献１〜４に開示された技術が知られており、これによってある程度の改善が図られているものの、最近では、ずれ止め効果のより高い平パレットの開発が望まれている。
【先行技術文献】
【特許文献】
【０００６】
【特許文献１】特許第４４２８４７４号公報
【特許文献２】特許第３９５４３０３号公報
【特許文献３】特開２００４−１６８３３６号公報
【特許文献４】実開平６−８７２３２号公報
【発明の概要】
【発明が解決しようとする課題】
【０００７】
本発明の課題は、ストレッチフィルムのずれ止め効果がより高い平パレットを提案するところにある。
【課題を解決するための手段】
【０００８】
本発明は、荷物の積載面を形成する天板と、該天板の下方で接地面を形成する底板と、該天板および該底板をそれらのコーナー部、中央部、縁部中間部で相互に連結する複数本の柱部材とを備えた平パレットであって、該柱部材のうち、該天板、該底板をコーナー部において連結する隅柱部材は、湾曲面（Ｒ（アール））が付された外側コーナーの外表面に、該隅柱部材の周りに沿って伸延するとともに該隅柱部材の軸芯に沿う向きに間隔を隔てて配列される少なくとも二本の横リブを備え、該横リブは、いずれのものも外側コーナーの頂部に一致する幅方向中心部を有し、該横リブのうちの１つについては、該幅方向中心部が最下部に位置し、該底板に向けて凸状となる下向き凸状の湾曲形状からなり、その直下に位置する横リブは、該幅方向中心部が最上部に位置し、該天板に向けて凸状となる上向き凸状の湾曲形状からなることを特徴とする平パレットである。
【０００９】
上記の構成からなる平パレットにおいて、前記横リブは、半径３００〜５００ｍｍの円弧によって形成されたものであること、
また、前記横リブは、先端面および底壁面が前記隅柱部材の外側コーナーの外表面と平行であり、かつ、縦断面形状が台形状をなすものであること、
また、前記下向き凸状の湾曲形状からなる横リブは、該横リブの幅方向の端面を上方へ向ける端曲げ部を有し、前記上向き凸状の湾曲形状からなる横リブは、該横リブの幅方向の端面を下方へ向ける端曲げ部を有すること、
さらに、前記下向き凸状の湾曲形状からなる横リブと、前記上向き凸状の湾曲形状からなる横リブとの相互間には、各横リブの幅方向の端部を結ぶ直線上の中間位置に、点状をなし、かつ、前記隅柱部材の外表面から外方へ向けて突出する突起を有すること、が課題解決のための具体的手段として好ましい。
【発明の効果】
【００１０】
上記の構成からなる本発明の平パレットによれば、ストレッチフィルムの引っ掛かりが良好であり、平パレット上で荷物の揺れ等が起きてもストレッチフィルムがずれ上がり難い。
【図面の簡単な説明】
【００１１】
【図１】本発明にしたがう平パレットの外観を模式的に示した斜視図である。
【図２】図１に示した平パレットに荷物を積載するとともにストレッチフィルムで梱包した状態を模式的に示した斜視図である。
【図３】図１に示した平パレットにつき、その天板と柱部材とを分断した状態で示した外観斜視図である。
【図４】（ａ）（ｂ）は、図１に示した平パレットの要部拡大図であり、（ａ）は、柱部材の平面を断面で示した図であり、（ｂ）は、柱部材（隅柱部材）の正面を展開状態で示した図である。
【図５】（ａ）（ｂ）は、図４（ｂ）の要部を拡大して示した図である。
【図６】本発明にしたがう平パレットの他の実施の形態を横リブについて示した図である。
【図７】（ａ）（ｂ）は、図６の突起を拡大して示した図である。
【発明を実施するための形態】
【００１２】
以下、図面を用いて本発明をより具体的に説明する。
図１は、本発明にしたがう平パレットの外観を模式的に示した斜視図であり、図２は、図１に示した平パレットに荷物を積載するとともにストレッチフィルムで梱包した状態を模式的に示した斜視図であり、図３は、図１に示した平パレットにつき、その天板と柱部材とを分断した状態で示した外観斜視図である。
【００１３】
また、図４（ａ）（ｂ）は、柱部材（隅柱部材）の１つについて、その要部を平面、正面について示した図（図４（ｂ）は、隅柱部材の外側コーナーを展開状態で示した図）であり、図５(ａ)（ｂ）は、図４（ｂ）の要部を拡大して示した図である（図５（ｂ）は図５（ａ）のＡ-Ａ断面図）。
【００１４】
本発明にしたがう平パレットは、天板、底板およびそれらの相互間に位置する柱部材が一体成型された合成樹脂製からなるものを基本とするが、天板、底板、柱部材をボルト、ナットの締結手段を介して連結した組立構造からなるものを適用することも可能であり、この点については限定されない。
【００１５】
また、本発明の平パレットは、それ自体を反転させ、天板を底板とする一方、底板を天板として荷物の運搬、保管を行う使用形態を採用することもできる。この場合、横リブは、隅柱部材の下部、すなわち、底板に近い位置にも設けられる。
【００１６】
図１〜５における符号１は、荷物の積載面Ｍを形成する四角形状をなす天板、２は、天板１の下方で接地面を形成する四角形状をなす底板、３ａ〜３ｄ、４、５ａ〜５ｄは、天板１および底板２をそれらのコーナー部、中央部、縁部中間部で相互に連結する柱部材である。
【００１７】
柱部材３ａ〜３ｄ、４、５ａ〜５ｄは、ここでは、軽量化を目的として中空の筒状体からなるものを例として示したが、その形状や構造については適宜変更することができる。また、柱部材３ａ〜３ｄ、４、５ａ〜５ｄのうち、天板１、底板２を四隅において連結する柱部材（以下、この柱部材を隅柱部材と表記する）３ａ〜３ｄは、その外側コーナーに半径が２０〜３０ｍｍ程度の湾曲面（アール）が付されている。
【００１８】
天板１、底板２については、その表裏において貫通する種々の形状からなる貫通孔を形成することが可能であり、該天板１および底板２の少なくとも一方の縁部は、柱部材３ａ〜３ｄ、４、５ａ〜５ｄの外表面から１ｍｍ程度突出させることができる。
【００１９】
また、符号６は、柱部材３ａ〜３ｄ、５ａ〜５ｄの相互間および天板１、底板２の相互間に形成され、フォークリフトのフォークを挿入する開口部である。開口部６にフォークリフトのフォークを差し入れることにより荷物を積載した平パレットの運搬が可能となる。
【００２０】
また、７ａ、７ｂは、隅柱部材３ａ〜３ｄの外側コーナーの上部に設けられた横リブである。なお、隅柱部材３ｄについては、横リブ７ａ、７ｂを図示することができないが、隅柱部材３ａ〜３ｃと同様に設けられる。
【００２１】
この横リブ７ａ、７ｂは、隅柱部材３ａ〜３ｄの周りに沿って伸延するとともに、該隅柱部材３ａ〜３ｄの軸芯Ｌ１〜Ｌ４に沿う向きに間隔を隔てて配列されるものであって、いずれの横リブ７ａ、７ｂも外側コーナーの頂部３ａ１〜３ｄ１（頂部３ａ１〜３ｄ１は、外側コーナーにおいて最も突き出している部分であって、これを基準にして隅柱部材３ａ〜３ｄを左右に均等に二分する垂直中心線を形成する）に一致する幅方向中心部７ａ１、７ｂ１を有している（図４（ａ）（ｂ）、図５（ａ）（ｂ）参照）。そして、その形状は、横リブ７ａについては、該幅方向中心部７ａ１が最下部に位置し、底板２に向けて凸状となる下向き凸状の湾曲形状からなり、その直下に位置する横リブ７ｂは、該幅方向中心部７ｂ１が最上部に位置し、天板１に向けて凸状となる上向き凸状の湾曲形状からなっている。
【００２２】
また、符号８は、横リブ７ａの幅方向の端部に設けられた端曲げ部、９は、横リブ７ｂの幅方向の端部に設けられた端曲げ部である（図４（ａ）（ｂ）、図５（ａ）（ｂ）参照）。端曲げ部８により横リブ７ａの幅方向の端面７ａ２は上方へ向くことになり、端曲げ部９により横リブ７ｂの幅方向の端面７ｂ２は下方へ向くことになる。
【００２３】
上記の如き構成からなる平パレットにおいては、荷物を包装する際に、ストレッチフィルムＦは、横リブ７ｂの端曲げ部９、横リブ７ａの湾曲部の全幅にわたって強固に引っ掛かるため、荷物の搬送中に荷物が大きく揺れたり、開口部６においてストレッチフィルムＦがフォークリフトのフォークにより上方へ押しやられたとしてもストレッチフィルムＦが簡単にずれ上がることはない。
【００２４】
本発明にしたがう平パレットにおいて、横リブ７ａ、７ｂは、図５（ａ）に示すように、半径Ｒ：３００〜５００ｍｍ程度の円弧によって形成することでき、また、その先端面７ａ３、７ｂ３および底壁面７ａ４、７ｂ４は、図５（ｂ）に示すように、隅柱部材３ａ〜３ｄの外側コーナーの外表面と平行であり、かつ、その縦断面形状（Ａ−Ａ断面の形状）を台形状とするのが好ましく、これによりストレッチフィルムＦとの引っ掛かりがより一層良好となる。
【００２５】
先端面７ａ３、７ｂ３の寸法（厚さ）ｔ１は、具体的には、４〜１０ｍｍ程度に、底壁面７ａ４、７ｂ４の寸法（厚さ）ｔ２は、６〜１０ｍｍ程度に、幅寸法は、幅方向の中心部を基準とする直線長さＷとして左右それぞれ１５〜３０ｍｍ程度（より好ましくは２０ｍｍ程度（合計で４０ｍｍ程度））に、突出代（出っ張り寸法）Ｋは０．５〜１．０ｍｍ程度に設定し、先端面７ａ３、７ｂ３と側壁が交差する角部には巻き掛けられたストレッチフィルムＦの破れを防止する観点から半径１〜２ｍｍ程度のアール（ｒ）を付与することができる。また、横リブ７ａと横リブ７ｂとの間隔ｈについては、幅方向の中心部７ａ１、７ｂ１を基準にしておおよそ２０〜３０ｍｍ（好ましくは、２５ｍｍ程度）とする（図５（ａ）（ｂ）参照）。なお、上記の直線長さＷは、隅柱部材３ａ〜３ｄとその外側コーナー頂部３ａ１〜３ｄ１を平面展開図とした場合の寸法である。
【００２６】
横リブ７ａの設置位置については、ストレッチフィルムＦによる荷物の確実な梱包と該ストレッチフィルムＦの平パレットへのより確実な引っ掛かりを実現するために、天板１の上面から垂直距離Ｈにしておおよそ２０〜３０ｍｍの範囲（好ましくは２５ｍｍの位置）に設けるのが好ましく（図４（ｂ）参照）、横リブ７ｂについては、この横リブ７ａを基準にして設ければよい。
【００２７】
横リブ７ａ、７ｂは、隅柱部材３ａ〜３ｄに一体的に成形されたものであってもよいし、横リブ７ａ、７ｂを隅柱部材３ａ〜３ｄとは別体に設け、それを隅柱部材３ａ〜３ｄに固定したものであってもよい。
【００２８】
図６は、本発明にしたがう平パレットの他の実施の形態を横リブ７ａ、７ｂについて模式的に示した図である。
【００２９】
この例は、横リブ７ａと横リブ７ｂの幅方向の端部を結ぶ直線Ｎの中間位置Ｎ１に、点状（ドット状）をなし、かつ、隅柱部材３ａ〜３ｄの外表面から横向き姿勢で外方へ向けて突出する突起１０を設けたものである。
【００３０】
かかる構成からなる平パレットでは、ストレッチフィルムＦが横リブ７ａ、７ｂだけでなく該突起１０にも引っ掛かることになるため、ストレッチフィルムＦの平パレットに対する引っ掛かりがより一層強固となる。
【００３１】
突起１０としては、隅柱部材３ａ〜３ｄから遠ざかるにしたがって連続的に断面積が減少する錐状体、例えば、縦断面が台形状で、横断面形状が円形で、その突出端に隅柱部材３ａ〜３ｄの外表面と平行な平坦面１０ａを有する図７（ａ）（ｂ）に示すような円錐台の如き形状を有するものを適用することができる。
【００３２】
突起１０として図７（ａ）（ｂ）に示すような形状のものを適用する場合、その底面の径Ｓ１は、６〜１２ｍｍ程度に、また、上面の径Ｓ２は、４〜１０ｍｍ程度に、さらに、高さ（厚さ）ｔは、１〜５ｍｍ程度とするのがよく、上面と側壁とが交差する角部には巻き掛けられたストレッチフィルムＦの破れを防止する観点から半径１〜２ｍｍのアール（ｒ）を付与しておくのが好ましい。
【００３３】
横リブ７ａ、７ｂについては、これを一組として複数組設けることも可能であり、この点については、とくに限定されない。
【産業上の利用可能性】
【００３４】
本発明によれば、ストレッチフィルムの引っ掛かりがより一層強化された平パレットが提供できる。
【符号の説明】
【００３５】
１      天板
２      底板
３ａ〜３ｄ、４、５ａ〜５ｄ  柱部材
６      開口部
７ａ、７ｂ  横リブ
８、９    端曲げ部
１０    突起
Ｆ      ストレッチフィルム
Ｌ１〜Ｌ４  軸芯
【図１】
0006576284.tif 000002
【図２】
0006576284.tif 000003
【図３】
0006576284.tif 000004
【図４】
0006576284.tif 000005
【図５】
0006576284.tif 000006
【図６】
0006576284.tif 000007
【図７】
0006576284.tif 000008